(57)【特許請求の範囲】
【請求項１】
上面からティッシュを取り出すティッシュボックスを覆うティッシュボックスケースにあって、上面が切妻または寄棟の三角屋根形状の斜面の屋根部で、その屋根部のうち長方形または台形部分の半分が開口し、
前記ティッシュを取り出す細長開口部を設けた天井部を有することを特徴とするティッシュボックスケース。
【請求項２】
上面からティッシュを取り出すティッシュボックスを覆うティッシュボックスケースにあって、上面が切妻または寄棟の三角屋根形状の斜面の屋根部で、その屋根部のうち長方形または台形部分の半分が開口し、
長方形の底部と、その底部の長辺両側にあって、その長辺をそれぞれ共有する一対の長方形の側壁部と、その側壁部の一方側にあって、その長辺を共有する長方形または台形の屋根部と、その屋根部の長方形では短辺、台形では脚辺の両側にあって、その短辺または脚辺とそれぞれ共有する辺を有する一対の五角形の端部と、なる部分を設けたシートで組み立てることが可能であり、
前記側壁部のもう一方側にあって、その長辺を共有する前記ティッシュを取り出すスリットを設けた長方形の天井部となる部分を設けたことを特徴とするティッシュボックスケース。
【発明の詳細な説明】
【技術分野】
【０００１】本発明は、ティッシュボックスケースに関する。
【背景技術】
【０００２】従来のティッシュボックスケースは、内容物のティッシュボックス形状から、直方体の形状とし、直方体の上面の中央にティッシュ取り出しのスリットが設けられたものが一般的である。そこでスリットから引き出されたティッシュが多く露出する為、美観が悪く塵や花粉が堆積しやすい。回避策のひとつとして、特許文献１のように蓋を設置する構造により露出を無くしているケースもある。
【先行技術文献】
【特許文献】
【０００３】
【特許文献１】特開２００３−３２７２４１号公報
【発明の概要】
【発明が解決しようとする課題】
【０００４】ティッシュボックスケースに蓋を設ける構造は、取り出しの都度、蓋を開ける手順の為に使い勝手が悪く、また構造的に部品数が多くなる事で生産性と物流的に劣性であった。本発明は上記の課題を解決する為のもので塵や花粉が堆積しにくく、使い勝手と美観とを両立したティッシュボックスケースを提供するものである。
【課題を解決するための手段】
【０００５】
本発明は、上記の課題を解決するために、下記のティッシュボックスケースを提供するものである。
（１）上面からティッシュを取り出すティッシュボックスを覆うティッシュボックスケースにあって、上面が切妻または寄棟の三角屋根形状の斜面の屋根部で、その屋根部のうち長方形または台形部分の半分が開口し、前記ティッシュを取り出す細長開口部を設けた天井部を有することを特徴とするティッシュボックスケース。
（２）上面からティッシュを取り出すティッシュボックスを覆うティッシュボックスケースにあって、上面が切妻または寄棟の三角屋根形状の斜面の屋根部で、その屋根部のうち長方形または台形部分の半分が開口し、長方形の底部と、その底部の長辺両側にあって、その長辺をそれぞれ共有する一対の長方形の側壁部と、その側壁部の一方側にあって、その長辺を共有する長方形または台形の屋根部と、その屋根部の長方形では短辺、台形では脚辺の両側にあって、その短辺または脚辺とそれぞれ共有する辺を有する一対の五角形の端部と、なる部分を設けたシートで組み立てることが可能であり、前記側壁部のもう一方側にあって、その長辺を共有する前記ティッシュを取り出すスリットを設けた長方形の天井部となる部分を設けたことを特徴とするティッシュボックスケース。
【発明の効果】
【０００６】本発明によれば、塵や花粉が堆積しにくく、使い勝手と美観とを両立したティッシュボックスケースを提供できる。
【図面の簡単な説明】
【０００７】
【図１】本発明のティッシュボックスケースと、その中に収納したティッシュボックスの概略斜視図を示している。
【図２】図１の本発明のティッシュボックスケースをシートで組み立てた場合の展開図を示している。
【図３】図２の平面折り畳み状態を示している。
【図４】図３の展開方向を示している。
【図５】図４の展開方向を示している。
【図６】図２の場合のティッシュボックスの出し入れを示している。
【図７】本発明のティッシュボックスケースの別の概略斜視図を示している。
【図８】図７の本発明のティッシュボックスケースをシートで組み立てた場合の展開図を示している。
【図９】図７の本発明のティッシュボックスケースをシートで組み立てた場合の正面図を示している。
【図１０】図７の本発明のティッシュボックスケースをシートで組み立てた場合の背面図を示している。
【図１１】図７の本発明のティッシュボックスケースをシートで組み立てた場合の右側面図を示している。
【図１２】図７の本発明のティッシュボックスケースをシートで組み立てた場合の左側面図を示している。
【図１３】図７の本発明のティッシュボックスケースをシートで組み立てた場合の平面図を示している。
【図１４】図７の本発明のティッシュボックスケースをシートで組み立てた場合の底面図を示している。
【図１５】図７の本発明のティッシュボックスケースをシートで組み立てた場合のＡ‐Ａ線切断部端面図を示している。
【図１６】本発明のティッシュボックスケースの別の概略斜視図を示している。
【発明を実施するための形熊】
【０００８】本発明のティッシュボックスは、長方体の紙材容器の内部に折り畳まれ、その上面からティッシュを取り出すようにした一般に市販されたものが使用できる。
【０００９】本発明の屋根部は、ティッシュボックスの上面のおおよそ半分側を覆うもので、切妻の三角屋根形状の斜面の場合、長方形の斜面の半分が開口した状態となっている。また、寄棟の三角屋根形状の斜面の場合、そのうち台形の斜面の半分が開口した状態となっている。
【００１０】本発明の天井部は、屋根部とティッシュボックスの上面の間にティッシュボックスを隠すようにティッシュボックスケースに設けるもので、通常は、ティッシュボックスの上面と並行に設ける。
【００１１】本発明の細長開口部は、ティッシュボックス中のティッシュを取り出すために、天井部に設けた短冊状の開口部をさす。細長開口部の位置は、天井部の中央で、ティッシュボックスに合わせて横に長く設けるが、覆っている屋根部側に少しずらすと、より塵等の堆積しにくく、ティッシュも見にくくなりその点で好ましい。
【００１２】本発明の底部は、ティッシュボックスケースの底となる部分をさし、その形状は長方形となっている。
【００１３】本発明の側壁部は、ティッシュボックスケースの長方形の底部から立ち上がった壁部分のうち、長辺から立ち上がった壁部分で、その形状は、長方形となっている。
【００１４】本発明の五角形の端部は、ティッシュボックスケースの長方形の底部から立ち上がった壁部分のうち、屋根部が切妻の場合は、短辺から立ち上がった壁部分、屋根部が寄棟の場合は、屋根部短辺から立ち上がった壁部分と屋根部のうち三角部分を一体にした部分で、その形状は、五角形となっている。
【００１５】本発明のシートは、厚さが２５μｍから３ｍｍ程度の均一体で、紙またはプラスチックが使用できる。段ボールなどの積層構造、布や化粧フィルムなどを表面に張り合わせてもよい。また、表面にエンボスなどの加工をほどこしてもよい。
【００１６】以下、本発明の実施の形態を図面に基づいて説明する。
【００１７】図１は、本発明のティッシュボックスケースと、その中に収納したティッシュボックスの概略斜視図を示している。
屋根部１は、切妻の三角屋根形状の斜面で、中のティッシュボック２は、底部３と側壁部４と五角形の端部５で囲まれていて、上面が露出した構造になっている。
屋根部１と五角形の端部５と、屋根部１と側壁部４とがコの字形に一体となっていることにより、屋根部１をしっかり固定することができる。
【００１８】図２から図６は、図１の本発明のティッシュボックスケースを、一枚のシートから組み立て、ティッシュボックスを出し入れする方法を示している。
【００１９】図２は、ティッシュボックスケースの展開図を示している。
シート６には、長方形の底部３の長辺（谷折り線３４）両側に、その長辺をそれぞれ共有する一対の長方形の側壁部４を設け、その側壁部４の一方側には、その長辺（谷折り線４１）を共有する長方形の屋根部１を設けている。
また、その屋根部１の長方形では短辺（谷折り線５１）の両側に、その短辺とそれぞれ共有する辺を有する一対の五角形の端部５を設けている。
また、側壁部４のもう一方側には、谷折り線７４で折り返すように、側壁部４と同形状の折り返し部７を設ける。
折り返し部７の先端２か所には突設片７ａを設け、底部３と側壁部４との境界辺上に差し込まれるように境界辺に差込穴７ｂを設けている。
【００２０】図３は、図２の展開物の平面折り畳み状態を示している。
谷折り線３４と谷折り線５１のところで、シート６は、谷折りされている。
折り畳みとするにより、輸送をコンパクトにすることができる。
【００２１】図４は、図３の展開方向を示している。
五角形の端部５は、谷折り線５１のところで、側壁部４および折り返し部７は、谷折り線３４のところで折戻される。また、谷折り線７４のところで折り返し、折り返し部７の突設片７ａを差込穴７ｂに挿入する。
【００２２】図５は、図４の展開方向を示している。
五角形の端部５の側面側耳部５ａを折り返した側壁部４と折り返し部７の隙間に挿入し、五角形の端部５の底面側耳部５ｂを底部３側に差し込む。
【００２３】図６は、図２の場合のティッシュボックスの出し入れを示している。
五角形の端部５を逆方向に開いて、ティッシュボックス２を出し入れする。  ティッシュボックスケースを作成するのに、シート６を折って、差し込みながら組み立てるので、五角形の端部５の開閉が容易で、そのため、ティッシュボックス２が出し入れしやすい。
【００２４】図７は、本発明のティッシュボックスケースの別の概略斜視図を示している。
図１との違いは、屋根部１とティッシュボックスの上面の間にティッシュボックスを隠すように天井部８を設けるもので、ティッシュを取り出す細長開口部８ａを設けている。
【００２５】図８から図１５は、図７のティッシュボックスケースをシートで組み立てた場合の展開図（図８）、正面図（図９）、背面図（図１０）、右側面図（図１１）、左側面図（図１２）、平面図（図１３）、底面図（図１４）、Ａ‐Ａ線切断部端面図（図１５）をそれぞれ示している。
【００２６】図１６は、本発明のティッシュボックスケースの別の概略斜視図を示している。図７との違いは、上面の屋根部１の形状が、切妻から寄棟の三角屋根形状となっている。五角形の端部５は、側面と三角形の屋根となっていてその境目で折れ曲がっている。
このことにより、上面の開口部を狭めることができ、取り出し部分のティッシュに塵等が堆積しにくくなり、その点で好ましい。
【符号の説明】
【００２７】１、屋根部
２、ティッシュボックス
３、底部
３４、谷折り線
４、側壁部
４１、谷折り線
５、五角形の端部
５ａ、側面側耳部
５ｂ、底面側耳部
５１、谷折り線
６、シート
７、折り返し部
７４、谷折り線
７ａ、突設片
７ｂ、差込穴
８、天井部
８ａ、細長開口部
【図１】
0006723713.tif 000002
【図２】
0006723713.tif 000003
【図３】
0006723713.tif 000004
【図４】
0006723713.tif 000005
【図５】
0006723713.tif 000006
【図６】
0006723713.tif 000007
【図７】
0006723713.tif 000008
【図８】
0006723713.tif 000009
【図９】
0006723713.tif 000010
【図１０】
0006723713.tif 000011
【図１１】
0006723713.tif 000012
【図１２】
0006723713.tif 000013
【図１３】
0006723713.tif 000014
【図１４】
0006723713.tif 000015
【図１５】
0006723713.tif 000016
【図１６】
0006723713.tif 000017